(57)【特許請求の範囲】
【請求項１】
１〜２本の幹毛を二つ折にした折返し部に、挿通した自毛を緊締可能な輪部を形成すると共に、当該幹毛の一端側に結び玉を形成し、前記結び玉と前記輪部との間に複数本の増毛用毛髪を二つ折りにして結着する一方、前記幹毛を折り返した他端側には増毛用毛髪は結着しないようにしたことを特徴とする擬毛材。
【請求項２】
１〜２本の幹毛を二つ折にした折返し部に、挿通した自毛を緊締可能な輪部を形成すると共に、当該幹毛の一端側に結び玉を形成し、前記結び玉と前記輪部との間に複数本の増毛用毛髪を二つ折りにして結着する一方、前記幹毛を折り返した他端側には増毛用毛髪は結着しないようにした擬毛材を形成するステップと、
複数の擬毛材を当該擬毛材に形成された前記輪部のそれぞれを取付部材に備えられた棒体に挿通することにより前記擬毛材を前記棒体の所定位置に所定間隔を隔てて仮結びするステップと、
前記取付部材の先端に設けたループ部分に自毛を挿通するステップと、
前記擬毛材の仮結び部分をずらして前記ループ部分に挿通してある自毛を擬毛材の前記輪部内に挿通するステップと、
前記擬毛材の幹毛の両端を相反する方向に牽引して擬毛材を自毛に結着するステップと、
を含み構成されてなることを特徴とする増毛方法。
【発明の詳細な説明】
【０００１】
【発明の属する技術分野】
本発明は、頭部の自毛に天然毛髪あるい人工毛髪を結束固着する擬毛材、増毛器具及び増毛方法に関する。
【０００２】
【従来の技術】
脱毛や火傷等により頭髪の本数が少なくなって薄くなった場合、かつら等を着用するのが一般的であった。最近はこのかつらの面倒さから残された頭髪を基礎にして人工毛髪を増毛し、自然の髪形に整える増毛法が数多く提案され、実用化されている。一般にこれら増毛法は、頭髪の自毛に対して合成繊維の人工毛を結び付け１本の自毛に対して１本乃至複数本の人工毛を増毛する増毛法が行なわれている。
【０００３】
例えば、特開昭６１−９７４０９号公報には、１本の自毛の毛根部近傍に１〜２本の人工毛を接着剤を使用したり、輪結びによって取着するものが記載されていますが１本の自毛に対して毛根部に指等により取着するため自毛の負担が大きく、また、一箇所に多数本取着けると結び玉や接着塊を生じて櫛による髪梳きの時に邪魔となるため不便であった。
また、特開平２−２６４００５号公報には、１本の幹毛に複数本の枝毛を所定間隔を空けて接着剤によって取付け、この幹毛を自毛に接着剤によって接着する増毛方法が記載され、複数本の枝毛を接着した１本の幹毛を１本に自毛の毛根付近に接着するもので、このような接着剤による取付は接着剤が劣化して再度接着しなければならず、また、幹毛に取付られる枝毛の本数に制限があります。
【０００４】
更に、実開平３−７８０１９号公報に記載される考案は、人工毛の幹毛に所定間隔で輪を複数配列し、この各輪内に自毛挿通して接着剤で固定する増毛方法で幹毛を頭皮に沿って自毛の毛根付近に設置するようにした増毛方法で、各輪に自毛を挿通して接着剤によって固定するようにしたもので、隣接する複数の自毛に１本の幹毛を接着するから増毛した後の櫛梳きに際して引っ掛かり不便であった。
特公平４−１５２８５号公報に記載される増毛方法は、直線状に頭皮に沿って１〜２本の糸状台材（幹毛）を配置し、この糸状台材に直立して増毛用毛髪を固着させ、この糸状台材に特殊の接着剤によって自毛に接着するものである。この増毛法の場合も、頭皮に沿って配置した糸状台材に直立して枝毛を多数植立してあり、髪を梳く動作に際して糸状台材が櫛に引っ掛かる不便さがあった。
【０００５】
その他増毛方法として特開平５−１５６５０６号公報、特開平７−１７３７０４号公報や特開平１１−２１７７１５号公報に記載されるものが知られている。
特開平５−１５６５０６号公報（特公平７−９６７２２号公報）は、自毛の地肌に近い部分に結び目を形成し、この結び目と地肌との間に増毛用毛髪をむすび付けるもので、自毛に直接増毛用毛髪を結ぶに際して多数の増毛用毛髪をパイプに縛り付け、このパイプ内に自毛を挿通し、パイプの外周面から増毛用毛髪をずらして内部に挿通してある自毛に結着してなり、自毛に結び目を設ける作業が大変で自毛を傷めるおそれがある。
【０００６】
特開平７−１７３７０４号公報は１本の増毛用毛髪を自毛に取付ける固着具に関するもので、管状のガイド棒に１〜２本の増毛用毛髪を二つに折って仮結びを行ない、ガイド棒８の先端に突出した係止部材を自毛の毛根に近接して係止し、ガイド棒上の増毛用毛髪の仮結び目を摺動させて自毛に固着する装置について開示してある。１本の自毛に対して複数本の増毛用毛髪を結び付けるので自毛の負担が大きいばかりでなく、１本の自毛に対する増毛用毛髪の結ぶ本数は制限される。
また、特開平１１−２１７７１５号公報の増毛方法は１本の自毛に対して所定間隔でキューティクル付き増毛用毛髪を固着するものである。キューティクル付増毛用毛髪であるから１〜２本の増毛を結ぶものに比較してボリューム感のある増毛を行なうことができるが、１本の自毛に複数の増毛用毛髪を固着するから自毛の負担が大きく、複数本の増毛用毛髪を固着することはできない。
【０００７】
更に、特許第２９５１２５９号公報に記載されるヘアピースは、増毛用毛髪を扁平に並らべた毛束を二つ折りに重ねて、この重ね部分を帯状に並べてヘアピースを形成し、この増毛用毛髪を帯状の連結部を中心にカールさせたものである。
帯状に連結した部分を自毛に取付ることにより増毛効果をあげるものであるが、複数本の自毛に大きなヘアピースを取付るもので、自毛のカ−ル部分の付け毛に関し、増毛状態が外観により目立つ欠点がある。
【０００８】
【発明が解決しようとする課題】
前述のように従来の増毛方法は、自毛に直接数本の増毛用毛髪を取付たり、複数の増毛用毛髪を備えた幹毛を頭皮に沿って配置し、この幹毛に複数本の自毛を接着剤によって固着するもので、増毛方法として多くの欠点を有していた。この発明の課題は、頭髪に簡易に取りつけることができる増毛効果の優れる擬毛材を提供することである。この発明の増毛方法の課題は、自毛に対する負担を軽減して、１〜複数本の自毛に対して複数本の増毛用毛髪を結んである幹毛からなる擬毛材を自毛に結束するようにして確実に増毛効果を発揮する増毛方法を提供することである。
【０００９】
【課題を解決するための手段】
上記課題を解決するため請求項１に記載の本発明は、１〜２本の幹毛を二つ折にした折返し部に、挿通した自毛を緊締可能な輪部を形成すると共に、当該幹毛の一端側に結び玉を形成し、前記結び玉と前記輪部との間に複数本の増毛用毛髪を二つ折りにして結着する一方、前記幹毛を折り返した他端側には増毛用毛髪は結着しないようにしたことを特徴とする擬毛材を提供する。
【００１０】
上記課題を解決するため請求項２に記載の本発明は、１〜２本の幹毛を二つ折にした折返し部に、挿通した自毛を緊締可能な輪部を形成すると共に、当該幹毛の一端側に結び玉を形成し、結び玉と輪部との間に複数本の増毛用毛髪を二つ折りにして結着する一方、幹毛を折り返した他端側には増毛用毛髪は結着しないようにした擬毛材を形成するステップと、複数の擬毛材を当該擬毛材に形成された輪部のそれぞれを取付部材に備えられた棒体に挿通することにより擬毛材を棒体の所定位置に所定間隔を隔てて仮結びするステップと、取付部材の先端に設けたループ部分に自毛を挿通するステップと、擬毛材の仮結び部分をずらしてループ部分に挿通してある自毛を擬毛材の前記輪部内に挿通するステップと、擬毛材の幹毛の両端を相反する方向に牽引して擬毛材を自毛に結着するステップとを含み構成されてなることを特徴とする増毛方法を提供する。
【００１３】
この発明の擬毛材は、１つの幹毛に複数本、即ち、数本〜数十本の増毛用毛髪を結束し、一端に輪部を形成してあるので、この輪部を取付棒に簡易に取付けることができ、しかも、擬毛材を多数配列した増毛器具によって１〜４本の自毛の束に簡易に固着しうるので増毛作業が容易である。また、擬毛材の幹毛の増毛用毛髪の結束位置端の輪部と反対外側に結び玉を形成してあるから増毛用毛髪の脱落を防止できる。
【００１４】
この発明の増毛方法は、増毛用毛髪の複数本、すなわち数本〜数十本を結束してある１〜２本の幹毛からなる擬毛材の輪部に棒体である棒状部を挿通し、複数の擬毛材を取付部材である取付棒に仮結びしてあり、この棒状部からこの輪部を摺動して端末のループ側に脱出させ、棒状部のループ状の糸状線に挿通してある自毛に絡ませて結んであるから、単に、自毛に接着剤等によって固着するのではなく、擬毛材の輪部を結ぶことによって自毛の根元に擬毛材を固着することができる。
このように１〜数本の自毛に複数本の増毛用毛髪を固着できるので増毛部分がボリューム感のある増毛を行なうことができる。しかも、増毛用毛髪を結束した擬毛材を自毛に結束してあるから洗髪に際して接着剤が溶解して抜け毛となるおそれはない。
【００１５】
【発明の実施の形態】
以下、本発明の増毛方法及び増毛器具の図面に示す実施の形態に基づいて説明する。図１は本発明の増毛方法に採用する１実施の形態の増毛器具の平面図である。図２は図１の増毛器具の取付棒に擬毛材を仮結びする説明図である。図３は図１の増毛器具を使用して自毛に擬毛材を結着する増毛方法の説明図である。図４は本発明の増毛方法における自毛に擬毛材を結着した状態を示す要部拡大図である。図５は本発明の増毛状態の頭皮部分を示す概略図である。
【００１６】
図１に示す増毛器具は、棒体であるプラスチック製のストロー形態の棒状部１ａを備えた取付部材である取付棒１の外周面上に所定間隔で擬毛材２を仮結びしてある。この擬毛材２の幹毛２ａに複数本の増毛用毛髪５が結束してある。この幹毛２ａの折り返し部である輪部３を取付棒１に仮結び付けてある。この結び方は図２に示されるように、１本の幹毛２ａの折り返し部に輪部３を形成し、この輪部３に取付棒１を挿入して擬毛材２の仮結びを行なう。この場合、間隔を空けて設けた巻付け部分の絡み合を防止するために、仮結び部分が簡単にずれないように取付棒１の棒状部１ａの周面には凹溝７を形成してある。この取付棒１は棒状であってもよいが管状に形成されていると取り扱いが便利である。
【００１７】
この擬毛材２の幹毛２ａには一端側に結び玉４を形成し、この結び玉４と輪部３との間に複数本の増毛用毛髪５を結着してある。この擬毛材２の幹毛２ａは人工毛１本でもよいが、２本を糊によって接着して１つにしたものがよい。このように接着した幹毛２ａは洗髪に際して糊が流れ、ほぐれて２本になり、増毛効果に寄与する。この擬毛材２の幹毛２ａの折り返した他端側には増毛用毛髪５は結着してない。この取付棒１の先端にループ状のナイロン製の糸状線６の両端が固着してある。特に、取付棒１の棒状部１ａが管状に形成されていると、この管状内壁面に糸状線６の両端を挿入して簡易に固着することができ、また、管状になっていると仮結び目を簡易にずらすことができる。この糸状線６は柔軟性のある合成繊維が好ましい、この糸状線６のループ部分に自毛８を挿通するように形成してある。
【００１８】
幹毛２ａに結着する増毛用毛髪５は二つ折りにして結びつけてある。この増毛用毛髪５の太さは自毛８に近似したものがよく、その太さは０．０８ｍｍ位である。自毛８に混合する割合は抜け毛の状態によって増毛効果のある増毛用毛髪５を結束することができる。１本の幹毛２ａに結束する増毛用毛髪５の本数は限定されないが、取付が簡単な本数としては１０本位が適当で、二つ折りにしてあるので２０本の増毛用毛髪５が擬毛材２の幹毛２ａに結着することになる。この本数については制限されるものでもなく、全体の増毛効果を発揮する度合いにより、２０本にして二つ折にし、４０本になるようにしてもよい。このような擬毛材２は図１に示すように取付棒１の棒状部１ａに所定間隔で仮結びして取付けてある。１０は頭皮部分である。
【００１９】
このように複数の増毛用毛髪５を備えた擬毛材２を仮結びしてある取付棒１の増毛器具を使用して増毛する増毛方法を説明する。
図３に示すように取付棒１の棒状部１ａの先端の糸状線６のループ内に自毛８の１〜４本を束ねて挿入し、取付棒１の棒状部１ａに仮結びしてある擬毛材２の輪部３を指で挟み、棒状部１ａ面上を摺動させて糸状線６のループ側に移動させ（図３ａ）、この輪部３によって自毛８を二つ折りにしながら取付棒１を牽引して自毛８を擬毛材２の輪部３内に引き込み（図３ｃ）、この自毛８の自由端はループから引き出される（図３ｄ）。このル−プ内に挿入する自毛の本数は制限されないが、８本以上では結束の大きさが大きくなり過ぎるので１〜４本位が適当である。
【００２０】
自毛８の毛根に近接した位置まで擬毛材２を押し下げて、図４に示すように自毛８に擬毛材２を結び、幹毛２ａのＡ端とＢ端とを互いに反対方向に引っ張ることにより、結び目９を緊締し、複数本の増毛用毛髪５を備えた擬毛材２を自毛８に結び付ける。このようにして複数箇所の自毛８に擬毛材２を結着して部分増毛を行なったのち、自毛８の長さと増毛用毛髪５の長さを揃えるために鋏み等のカット部材により先端をカットして長さを統一する（図５点線）。
【００２１】
前記擬毛材２と自毛８との結び目９に必要に応じて接着剤を塗布してしばらく放置して硬化させて擬毛材２を完全に自毛８に固着する。この接着剤は頭皮部分から出る皮脂、汗等により所定日数経過すると接着力が低下するからこの結び目９を緩めて自毛８の毛根側へ押し下げることができる。
【００２２】
このように本発明の増毛方法は構造の簡単な増毛器具を使用して自毛に対して複数本の増毛用毛髪を結着することができ、隣接する自毛に多数の擬毛材２を結び付け、全体にボリューム感のある増毛を行なうことができる。
【００２３】
【発明の効果】
本発明の擬毛材は、幹毛に数本〜数十本の増毛用毛髪を結束してあるから自毛に固着したときボリューム感があり、自毛全体の増毛効果に優れる。しかも、簡単な増毛器具によって確実に自毛に結束することができる。
また、本発明の増毛方法は、数本の増毛用毛髪を結び付けた幹毛を有する擬毛材を結着する自毛の根元に簡易に取付けることができ、自毛の一箇所に結ぶことになるから自毛に対する負担を掛けずにボリューム感のある増毛を行なうことができる。
【図面の簡単な説明】
【図１】本発明の増毛方法に採用する１実施の形態の増毛器具の平面図である。
【図２】図１の増毛器具の取付棒に擬毛材を結着する説明図である。
【図３】図１の増毛器具を使用して自毛に擬毛材を結着する増毛方法の説明図である。
【図４】本発明の増毛方法における自毛に擬毛材を結着した状態を示す要部拡大図である。
【図５】本発明の増毛状態の頭皮部分を示す概略図である。
【符号の説明】
１      取付棒
１ａ      棒状部
２      擬毛材
２ａ      幹毛
３      輪部
４      結び玉
５      増毛用毛髪
６      糸状線
７      凹溝
８    自毛
９      結び目
【図１】
0004564162.tif 000002
【図２】
0004564162.tif 000003
【図３】
0004564162.tif 000004
【図４】
0004564162.tif 000005
【図５】
0004564162.tif 000006